(57)【特許請求の範囲】
【請求項１】
ＩＤコード信号を受信する受信部と、ＩＤコード信号と関係づけられた音声情報を記憶する音声情報記憶部と、前記受信部が受信したＩＤコード信号と関係づけられた音声情報を前記音声情報記憶部から読み出して再生する再生部と、警告音を発音する発音手段と、表示部と、前記受信部、前記音声情報記憶部、前記再生部、前記表示部、及び前記発音手段を制御する制御部を備える再生装置において、再生装置の返却を促すためのＩＤコード信号を受信したことを示す受信情報を記憶する受信情報記憶部を備え、再生装置の返却を促すためのＩＤコード信号を前記受信部が受信した場合、前記制御部は、前記受信情報記憶部に前記受信情報を記憶し、再生装置の返却を促す音声情報を前記音声情報記憶部から読み出し前記再生部に再生させる制御、再生装置の返却を促す情報を前記表示部に表示させる制御、又は再生装置の返却を促す音声情報を前記音声情報記憶部から読み出し前記再生部に再生させるとともに再生装置の返却を促す情報を前記表示部に表示させる制御を行い、前記制御部は、前記受信部が警告音を発音するためのＩＤコード信号を受信した場合、前記受信情報記憶部に前記受信情報が記憶されているときは、前記発音手段に警告音を発音させる制御を行うことを特徴とする再生装置。
【請求項２】
ＩＤコード信号を受信する受信部と、ＩＤコード信号と関係づけられた音声情報を記憶する音声情報記憶部と、前記受信部が受信したＩＤコード信号と関係づけられた音声情報を前記音声情報記憶部から読み出して再生する再生部と、警告音を発音する発音手段と、表示部と、前記受信部、前記音声情報記憶部、前記再生部、前記表示部、及び前記発音手段を制御する制御部を備える再生装置において、前記再生装置を振動させる振動手段と、再生装置の返却を促すためのＩＤコード信号を受信したことを示す受信情報を記憶する受信情報記憶部を備え、再生装置の返却を促すためのＩＤコード信号を前記受信部が受信した場合、前記制御部は、前記受信情報記憶部に前記受信情報を記憶し、前記振動手段に前記再生装置を振動させる制御を行い、前記制御部は、前記受信部が警告音を発音するためのＩＤコード信号を受信した場合、前記受信情報記憶部に前記受信情報が記憶されているときは、前記発音手段に警告音を発音させる制御を行うことを特徴とする再生装置。
【請求項３】
ＩＤコード信号を受信する受信部と、ＩＤコード信号と関係づけられた音声情報を記憶する音声情報記憶部と、再生装置の返却を促すためのＩＤコード信号を受信したことを示す受信情報を記憶する受信情報記憶部を備え、前記受信部が受信したＩＤコード信号と関係づけられた音声情報を再生する再生装置の盗難防止方法であって、前記受信部が再生装置の返却を促すためのＩＤコード信号を受信する段階と、前記受信情報記憶部に再生装置の返却を促すためのＩＤコード信号を受信したことを示す受信情報を記憶する段階と、再生装置の返却を促す音声情報を前記再生部が再生する、再生装置の返却を促す情報を前記表示部が表示する、再生装置の返却を促す音声情報を前記再生部が再生するとともに前記再生装置の返却を促す情報を前記表示部が表示する、又は前記再生装置が振動することによって返却を促す段階と、前記受信部が警告音を発音するためのＩＤコード信号を受信する段階と、前記受信情報が前記受信情報記憶部に記憶されていることを確認する段階と、前記受信情報部に再生装置の返却を促すためのＩＤコード信号を受信したことを示す受信情報が記憶されている場合は前記再生装置が警告音を発音し、前記受信情報部に再生装置の返却を促すためのＩＤコード信号を受信したことを示す受信情報が記憶されていない場合は前記再生装置が警告音を発音しない段階とを有することを特徴とする再生装置の盗難防止方法。
【発明の詳細な説明】
【０００１】
【発明の属する技術分野】
本発明は、美術館やイベント会場等で貸し出され盗難防止機能を備えた音声ガイド用の再生装置に関するものである。
【０００２】
【従来の技術】
イベント会場や美術館等においては、音声ガイド用の再生装置を貸し出して、各種案内をしていることがある。音声ガイド用の再生装置に持ち出し防止用部材を取り付け、出口付近に持ち出し防止用部材の検出装置を設置し、検出装置が持ち出し防止用部材を検知すると、警報装置から、警告音を発して音声ガイド用の再生装置が不正に持ち出されるのを防止している。
【０００３】
図６に従来の盗難防止装置の一例を概略図で示す。
図６において、持ち出し防止用の部材として、磁気カード１６を取り付けた再生装置１７を持ったお客１２が検出装置１８の近傍を通過すると、磁気カード１６の磁気を検出装置１８が検出し、警報装置１９から、警告音を発するようになっている。
【０００４】
図６に示す盗難防止装置では、出口付近に持ち出し防止用の検出装置１８を設置しなければならず、検出装置１８を設置するための場所が必要となる。また、持ち出し防止用の検出装置１８を設置していることがお客に分かると、お客の気分を損ねる問題があった。
【０００５】
また、お客が再生装置１７を持ったまま誤って持ち出し防止用の検出装置１８が動作する場所に行ってしまった場合も、故意に再生装置１７を持ち出した場合も、同じ警告音を発してしまうので、お客が再生装置１７を持ったまま誤って持ち出し防止用の検出装置１８の動作する場所に行ってしまった場合は、お客に不快感を与えてしまう問題があった。
【０００６】
また、設置した検出装置１８や警報装置１９が動作して警告している場合で、お客が再生装置１７を見えないように携帯し、複数の人が出口にいるときは、携帯しているお客を特定することができない問題があった。
【０００７】
【発明が解決しようとする課題】
本発明は上述の問題点を鑑みなされたものであり、再生装置を借りたお客が、誤って持ち出し防止用の検出装置が動作する場所に行ってしまったような場合には、借りた再生装置が使用できる区域外にあるので、借りた再生装置がお客に再生装置を返却するように知らせることを目的としている。
【０００８】
また、再生装置を借りたお客が、借りた再生装置を使用できる区域から更に離れて、故意に持ち出した場合には、再生装置がお客に再生装置を区域外に持ち出したことを知らせる警告音を鳴らしたり、警告音を鳴らすための電波を送信したりして、不正な再生装置の持ち出しを防止することを目的としている。
【０００９】
【課題を解決するための手段】
本発明の請求項１に記載の再生装置は、ＩＤコード信号を受信する受信部と、ＩＤコード信号と関係づけられた音声情報を記憶する音声情報記憶部と、前記受信部が受信したＩＤコード信号と関係づけられた音声情報を前記音声情報記憶部から読み出して再生する再生部と、警告音を発音する発音手段と、表示部と、前記受信部、前記音声情報記憶部、前記再生部、前記表示部、及び前記発音手段を制御する制御部を備える再生装置において、再生装置の返却を促すためのＩＤコード信号を受信したことを示す受信情報を記憶する受信情報記憶部を備え、再生装置の返却を促すためのＩＤコード信号を前記受信部が受信した場合、前記制御部は、前記受信情報記憶部に前記受信情報を記憶し、再生装置の返却を促す音声情報を前記音声情報記憶部から読み出し前記再生部に再生させる制御、再生装置の返却を促す情報を前記表示部に表示させる制御、又は再生装置の返却を促す音声情報を前記音声情報記憶部から読み出し前記再生部に再生させるとともに再生装置の返却を促す情報を前記表示部に表示させる制御を行い、前記制御部は、前記受信部が警告音を発音するためのＩＤコード信号を受信した場合、前記受信情報記憶部に前記受信情報が記憶されているときは、前記発音手段に警告音を発音させる制御を行うものである。
【００１１】
本発明の請求項２に記載の再生装置は、ＩＤコード信号を受信する受信部と、ＩＤコード信号と関係づけられた音声情報を記憶する音声情報記憶部と、前記受信部が受信したＩＤコード信号と関係づけられた音声情報を前記音声情報記憶部から読み出して再生する再生部と、警告音を発音する発音手段と、表示部と、前記受信部、前記音声情報記憶部、前記再生部、前記表示部、及び前記発音手段を制御する制御部を備える再生装置において、前記再生装置を振動させる振動手段と、再生装置の返却を促すためのＩＤコード信号を受信したことを示す受信情報を記憶する受信情報記憶部を備え、再生装置の返却を促すためのＩＤコード信号を前記受信部が受信した場合、前記制御部は、前記受信情報記憶部に再生装置の返却を促すためのＩＤコード信号を受信したことを示す受信情報を記憶し、前記振動手段に前記再生装置を振動させる制御を行い、前記制御部は、前記受信部が警告音を発音するためのＩＤコード信号を受信した場合、前記受信情報記憶部に前記受信情報が記憶されているときは、前記発音手段に警告音を発音させる制御を行うものである。
【００１９】
本発明の請求項３に記載の再生装置の盗難防止方法は、ＩＤコード信号を受信する受信部と、ＩＤコード信号と関係づけられた音声情報を記憶する音声情報記憶部と、再生装置の返却を促すためのＩＤコード信号を受信したことを示す受信情報を記憶する受信情報記憶部を備え、前記受信部が受信したＩＤコード信号と関係づけられた音声情報を再生する再生装置の盗難防止方法であって、前記受信部が再生装置の返却を促すためのＩＤコード信号を受信する段階と、前記受信情報記憶部に再生装置の返却を促すためのＩＤコード信号を受信したことを示す受信情報を記憶する段階と、再生装置の返却を促す音声情報を前記再生部が再生する、再生装置の返却を促す情報を前記表示部が表示する、再生装置の返却を促す音声情報を前記再生部が再生するとともに前記再生装置の返却を促す情報を前記表示部が表示する、又は前記再生装置が振動することによって返却を促す段階と、前記受信部が警告音を発音するためのＩＤコード信号を受信する段階と、前記受信情報が前記受信情報記憶部に記憶されていることを確認する段階と、前記受信情報部に再生装置の返却を促すためのＩＤコード信号を受信したことを示す受信情報が記憶されている場合は前記再生装置が警告音を発音し、前記受信情報部に再生装置の返却を促すためのＩＤコード信号を受信したことを示す受信情報が記憶されていない場合は前記再生装置が警告音を発音しない段階とを有する方法である。
【００２０】
したがって、専用の盗難防止用部材を貸出用の再生装置に取り付けることや、検出装置を会場出口に設置する必要がなくなる。
また、お客が借りた再生装置を、使用する会場以外や指定した場所以外へ持ち出した場合に、借りた再生装置で再生したり、ディスプレイで表示したり、再生装置を振動させることで、借りた再生装置を使用できる区域外に持ち出していることをお客に知らせて、注意することができる。
【００２１】
また、お客が借りた再生装置を、使用する会場以外や指定した場所以外へ持ち出した場合に、借りた再生装置から警告音を発音したり、或いは、借りた再生装置が有する送信部から持ち出されたことを示す送信信号を送信し、受信装置で持ち出されたことを示す送信信号を受信して警告手段を動作させ、再生装置が持ち出されたことを受信装置の近傍にいる人に知らしめることにより、借りた再生装置の返却をお客に促し、盗難を防止することができる。
【００２２】
【発明の実施の形態】
図１は本発明の一実施例の再生装置の使用例を示す図である。図２は本実施例の再生装置を示すブロック図であり、図３は本実施例の再生装置を示す斜視図である。
図１乃至図３において、お客１２が借りた貸出用再生装置（以下貸出装置と呼ぶ）１に組み込まれた受信部２が、展示物１３の近くに設置した送信装置１１から送信されるＩＤコード信号を受信すると、マイクロコンピュータ（以下ＣＰＵと呼ぶ）３は、ＩＤコードの判断を行う。
【００２３】
ＣＰＵ３はＩＤコードの内容が、▲１▼音声ガイドを行う内容であるか、▲２▼持ち出しの注意を行う内容であるか、▲３▼警告音を発する内容であるか、の判断をする。受信したＩＤコードが音声ガイドを行う内容である場合は、ＣＰＵ３は、受信したＩＤコードと関係づけられた音声データを記憶部４から読み出し、イヤホンやスピーカなどを含む再生部６にて出力し、音声によるガイドを行う。
【００２４】
図１において、貸出装置１を持ったお客１２が、会場の出口付近や見学順路の最後に設けられた貸出装置の返却場所１４に貸出装置１を返却せずに、会場出口１５へ至ると、送信装置１１Ａからの送信範囲を通ることになり、貸出装置１は送信装置１１Ａから送信されたＩＤコード信号を受信する。
【００２５】
この場合、ＩＤコード信号の内容が持ち出しの注意を行うものであるため、ＣＰＵ３は受信したＩＤコード信号に基づいて、記憶部４から音声データを読み出し、再生部６にて再生し、貸出装置１を使用できる区域外に持ち出しているので、使用終了ならば返却するように、お客１２に音声で知らせる。
【００２６】
また、音声で知らせるのと同時に、表示部８に、使用できる区域外に持ち出していることを、文字や記号、またはＬＥＤやランプ等の点灯、点滅にて表示を行う。または、貸出装置１に組み込まれた図示していないバイブレータ等の振動によりお客に知らせる。
【００２７】
貸出装置１を使用できる区域外に持ち出したことを音声で知らせるＩＤコードを送信する送信装置１１Ａが複数個設置され、それぞれのＩＤコードが異なる場合でも、使用できる区域外に持ち出したことを知らせる音声データは、１つの音声データを共用することができる。
【００２８】
お客１２が会場出口１５から外へ出ると、貸出装置１の受信部２は図１に示す送信装置１１Ａからの送信エリアを外れ、送信装置１１Ｂの送信エリアに入り、送信装置１１ＢからのＩＤコード信号を受信する。
【００２９】
送信装置１１ＢからのＩＤコード信号を受信することは、お客１２が、前述の注意を促すアナウンス、表示部８の表示、または貸出装置１の振動を無視している、もしくは、持ち出すことを目的として貸出装置１をかばん等にしまい込んでいる場合等であり、貸出装置１を使用できる区域から更に外れて返却せずに持ち出していることになる。
【００３０】
送信装置１１ＢからのＩＤコード信号を貸出装置１の受信部２が受信すると、ＣＰＵ３は受信したＩＤコード信号に基づいて、貸出装置１に組み込まれた発音素子７から警告音を継続的に鳴らす。
警告音の音量や音の高さ、鳴り方（連続音、断続音、等）は、予め操作ボタン９で設定する。
【００３１】
発音素子７から発せられる警告音は、操作ボタン９の特定の操作や、リセットスイッチ１０、または、お客が触れることのない特殊なボタンの操作、または、警告音を止めるための専用のＩＤコードを送信装置から送信する等の操作で、停止できる。
【００３２】
図４は、本発明の他の実施例の再生装置を示すブロック図である。なお、図２に示した実施例と同一の構成部分は同一の符号とし、重複する説明については省略する。図４の貸出装置１ａの回路構成では、図２に示した実施例の回路に送信部２０を設けた構成となっている。
【００３３】
受信部２で受信したＩＤコード信号が、図１の送信装置１１ＢからのＩＤコード信号であった場合、お客１２は、貸出装置１ａから再生される注意を促すアナウンスや、表示部の表示、または、貸出装置１ａの振動を無視し、貸出装置１ａを使用できる区域から更に外れて返却せずに持ち出していることになる。
【００３４】
本実施例では、受信部２で受信したＩＤコード信号が、図１の送信装置１１ＢからのＩＤコード信号であった場合、ＣＰＵ３の制御により、貸出装置１ａに組み込まれた送信部２０は、予め設定したＩＤコード信号か、或いは、予め設定した信号の送信を開始する。
送信部２０から送信されたＩＤコード信号や予め設定した信号は、出口付近に設置した受信装置２１にて受信され、返却を促す案内を受信装置２１に備えた音声出力部から音声で再生することができる。
【００３５】
また、使用できる区域から外れて返却せずに持ち出しているお客がいることを周囲の来場者に知られないように、出口付近に設置した受信装置２１から音声で再生することをやめることもできる。
出口付近に設置した受信装置２１から音声で再生することをやめた場合は、図示していない係員が受信装置２１を携帯して受信し、貸出装置１ａを使用できる区域から外れて返却せずに持ち出しているお客がいることを携帯している受信装置２１に備えた音声出力部から音声で再生して係員に知らせるようにしても良い。
【００３６】
係員が受信装置２１を携帯する場合、送信装置１１ＢからのＩＤコード信号を受信しても、貸出装置１ａに組み込まれた発音素子７から警告音を鳴らさないように予め設定することができ、周囲の来場者には、不快な警告音を聞かせることはない。
【００３７】
したがって、周囲の来場者には貸出装置１ａを使用できる区域から外れて返却せずに持ち出しているお客がいることを知られないように、使用できる区域から外れて返却せずに持ち出しているお客に貸出装置１ａの返却を係員が促すことができる。
【００３８】
また、使用できる区域から外れて返却せずに持ち出しているお客の特定ができないときは、係員が、係員が携帯する受信装置２１に設けた送信手段や他の送信装置から、貸出装置１ａに設けた発音素子７を鳴らすためのＩＤコード信号を送信して、貸出装置１ａの発音素子７を鳴らして、使用できる区域から外れて返却せずに持ち出しているお客を特定しても良い。
【００３９】
送信部２０から送信される送信周波数は、送信装置１１から送信されるＩＤコード信号の送信周波数と同じでも良いが、他の来場者が使用する貸出装置１、１ａへの混信の防止ためには、異なる方が良い。
送信部２０は、同じ貸出装置１、１ａの受信部２への影響や、バッテリー５の省電力化のため、通常の使用状態においては送信を行わない。
【００４０】
貸出装置１ａの送信部２０からの送信の停止は、操作ボタン９の特定の操作やリセットスイッチ１０、または、お客が触れることのない特殊なボタンの操作、または、送信部２０からの送信を止めるための専用のＩＤコードを送信装置から送信することなどにより行う。
【００４１】
会場内の見学順路を間違えて貸出装置の返却場所１４を通らずに、会場出口１５へ至ってしまい、送信装置１１ＢからのＩＤコード信号を貸出装置１ａの受信装置２が受信して、ＣＰＵ３は受信したＩＤコード信号に基づいて、貸出装置１ａに組み込まれた発音素子７から警告音を鳴らし、お客１２に不快感を与えてしまうことが想定される。
【００４２】
このようなことを防止するために、さらに他の実施例として、送信装置１１ＡからのＩＤコード信号を受信した後、送信装置１１ＢからのＩＤコード信号を受信したときだけ、貸出装置１ａに組み込まれた発音素子７から警告音を継続的に鳴らすように、ＣＰＵ３が制御しても良い。
【００４３】
図５は、本実施例の再生装置（貸出装置１ａ）のＩＤコード信号を受信したときの動作を示すフローチャートである。
図５において、貸出装置１ａの受信部２で送信装置１１からのＩＤコード信号を受信する（ＳＴ１）。
受信部２で受信したＩＤコード信号が送信装置１１からのＩＤコード信号ＩＤ１か判断する（ＳＴ２）。
【００４４】
ＩＤ１を受信したとき（ＳＴ２でＹＥＳ）、ＩＤ１は、音声ガイドを行うＩＤコード信号であり、記憶部４にフラグが記憶されていては再生できなくなるので、ＦｌａｇＡ＝１があるか判断する（ＳＴ３）。
ＦｌａｇＡ＝１は、ＩＤコード信号ＩＤ２を受信したことを記憶部４に記憶して、後述する条件に応じて処理を変えるためにある。
【００４５】
したがって、ＩＤ１を受信したときは、ＦｌａｇＡ＝１がある場合（ＳＴ３でＹｅｓ）は、ＦｌａｇＡ＝１をＦｌａｇＡ＝０にする（ＳＴ４）。ＦｌａｇＡ＝１でない場合（ＳＴ３でＮｏ）、又はＦｌａｇＡ＝０にした（ＳＴ４）場合、貸出装置１ａは、受信部２で受信したＩＤ１と関係づけられた音声ガイド情報を再生する（ＳＴ５）。
【００４６】
ＩＤ１を受信していない場合（ＳＴ２でＮｏ）、送信装置１１ＡからのＩＤコード信号ＩＤ２を受信したか判断する（ＳＴ６）。
ＩＤ２を受信した場合（ＳＴ６でＹｅｓ）、ＩＤ２を受信したことを示すフラグ、ＦｌａｇＡ＝１を記憶部４に記憶してから（ＳＴ７）、貸出装置１ａは、お客に注意を促す音声ガイド情報を再生し、表示部８の表示、または貸出装置１ａの振動の動作を行う（ＳＴ８）。
【００４７】
フラグをＦｌａｇＡとし、ＩＤ２を受信したときにＦｌａｇＡ＝１、それ以外はＦｌａｇＡ＝０とする。また、貸出装置１ａを貸し出す際には、必ず、フラグはクリア（ＦｌａｇＡ＝０）にする。
【００４８】
ＩＤ２を受信していない場合（ＳＴ６でＮｏ）、送信装置１１ＢからのＩＤコード信号ＩＤ３を受信したか判断する（ＳＴ９）。ＩＤ３を受信した場合（ＳＴ９でＹｅｓ）、ＦｌａｇＡ＝１が記憶部４に記憶されているか判断する（ＳＴ１０）。
【００４９】
記憶部４にＦｌａｇＡ＝１が記憶されていれば、貸出装置１ａから、警告音を発するか、または、貸出装置１ａの送信部２０から貸出装置１ａが持ち出されたことを示す信号を送信する（ＳＴ１１）。
【００５０】
送信装置１１ＢからのＩＤ３を受信したが、記憶部４にＦｌａｇＡ＝１が記憶されていない（即ち、ＦｌａｇＡ＝０）場合（ＳＴ１０でＮｏ）、受信したＩＤ３をＩＤ２と読み変えて、お客に注意を促す音声ガイド情報を再生し、表示部８の表示、または貸出装置１ａの振動の動作を行う（ＳＴ８）。
【００５１】
この場合、故意に持ち出したことを特定するためには、送信装置１１ＢからのＩＤ３を受信してから経過時間をカウントし、あらかじめ設定した時間後に、発音素子７から警告音を発したり、送信部２０からの送信を開始するようにしても良い。
【００５２】
また、貸出装置１ａは送信部２０を有するので、前述の経過時間に関係なく、送信装置１１ＢからのＩＤ３を受信したら、ＩＤ３を受信した貸出装置１ａを持ち歩いているお客がいることを示す信号を送信部２０から送信し、係員が携帯する受信装置２１で受信して、周囲の来場者に知られることなく係員だけに知らせてもよい。したがって、貸出装置１ａを持ち出したお客１２に、係員が返却を促すことが可能となる。
【００５３】
また、送信装置１１ＡからのＩＤ２を受信してＦｌａｇＡ＝１が記憶部４に記憶された状態で、かつ、送信装置１１ＢからのＩＤ３を受信していない状態において、音声ガイドを行う送信装置１１からのＩＤ１を受信した場合は、お客１２が誤って出口付近に近づき、また会場に戻ったとも考えられる。
【００５４】
この場合、注意を促すアナウンスの再生や表示、振動の動作等を行わず、記憶部４に記憶されたＦｌａｇＡ＝１をクリア（ＦｌａｇＡ＝０）して、受信したＩＤ１の音声ガイドを行う（ＳＴ３に戻る）。
【００５５】
貸出装置１ａがＩＤ３を受信して発音素子７から警告音を発する動作をしている場合、その動作を解除するには、操作ボタン９の特定の操作やリセットスイッチ１０、または、お客が触れることのない特殊なボタンの操作、または、送信部２０からの送信を止めるための専用のＩＤコードを送信装置から送信することなどにより行う（ＳＴ１２）。
【００５６】
ＳＴ１２の発音素子７からの警告音の解除がなされると、ＩＤコード信号を受信できる状態になる（ＳＴ２に戻る）。
【００５７】
送信装置１１、送信装置１１Ａ、又は送信装置１１ＢからのＩＤコード信号を受信しない場合（ＳＴ９でＮｏ）、送信装置で設定していない誤ったＩＤコード信号を受信したか、電波の状態が悪くてＩＤコード信号を正確に受信できなかったことが想定されるので、貸出装置１ａの内部でエラー処理を行い（ＳＴ１３）、ＩＤコードを受信できる状態にする（ＳＴ２に戻る）。
【００５８】
本実施例の貸出装置１、１ａは、盗難を防止するための機能を備えているので、従来のように、会場出口などに盗難防止用の検出装置などを設ける必要がなくなり、検出装置を設置することによる会場の雰囲気を壊すような問題がなくなる。
【００５９】
また、貸出装置がＩＤコード信号を受信できる範囲内であれば、会場周辺の任意の場所で、かつ、人の目に付かないように、盗難防止用のＩＤコードを送信する送信装置を設置することができる。
【００６３】
【発明の効果】
本発明の再生装置によれば、返却を促すためのＩＤコード信号を受信し、音声情報の再生、表示部の表示、又は再生装置の振動を行った後に再生装置外から送信される警告音を発音するＩＤコード信号を受信した場合に、警告音の発音を行うことができる。
【００６６】
本発明の再生装置の盗難防止方法によれば、音声情報の再生、表示部の表示、又は再生装置の振動を行った後、再生装置外から送信されるＩＤコード信号によって、警告音の発音を行うことによって、再生装置の盗難を防止することができる。
【図面の簡単な説明】
【図１】本発明の一実施例の再生装置の使用例を示す図。
【図２】本実施例の再生装置を示すブロック図。
【図３】本実施例の再生装置を示す斜視図。
【図４】本発明の一実施例の再生装置を示すブロック図。
【図５】本実施例の再生装置の動作を示すフローチャート。
【図６】従来の盗難防止装置の一例を示す概略図。
【符号の説明】
１、１ａ  貸出装置
２  受信部
３  ＣＰＵ
４  記憶部
５  バッテリー
６  再生部
７  発音素子
８  表示部
９  操作ボタン
１０  リセットスイッチ
１１、１１Ａ、１１Ｂ  送信装置
１２  お客
１３  展示物
１４  貸出装置の返却場所
１５  会場出口
１６  磁気カード
１７  再生装置
１８  検出装置
１９  警報装置
２０  送信部
２１  受信装置
【図１】
0003559155.tif 000002
【図２】
0003559155.tif 000003
【図３】
0003559155.tif 000004
【図４】
0003559155.tif 000005
【図５】
0003559155.tif 000006
【図６】
0003559155.tif 000007